(57)【要約】      （修正有）【課題】和洋室兼用の、５０ｗ以下の小電力で足腰が暖まるパーソナル炬燵を提供する。【解決手段】腰まで入る大型膝掛けの先端に、３０−５０ｗ切替器付き足温器を取り付けた暖房器具で、足温器裏のサポ−ターを引き出すと、足温器は１２０°傾斜して立つ。  洋室での使用法は、（サポーターを出さず）足温器を床に置き、膝掛けを腰に巻いて椅子に座り、足を足温器に乗せて暖をとる。  和室での使用法は、座椅子に膝掛けを拡げ、足温器裏のサポーターを引き出し、足温器を１２０°傾斜させ、足を膝掛けの中に延ばし、足裏を足温器のヒーター部に当て、膝掛けのマジックテープを止めればパーソナル炬燵になる。【選択図】  図４
2006112772.tif 000002
【特許請求の範囲】
【請求項１】
着脱式膝掛けの付いた、水平及び所定角度に傾斜させて使用する足温器。
【発明の詳細な説明】
【技術分野】
【０００１】洋室で椅子に腰掛けても、和室で足を水平に延ばしても使用出来る、着脱式大型膝掛けの付いた一人用炬燵に関するものである。［背景技術］【０００２】最近日本の住宅が和室から洋室中心に急変したことと、省エネムードのため、既存暖房器具では日本人の生活には不向きな問題点が発生してきた。［発明の開示］［発明が解決しようとしている課題］【０００３】    現在市場にある暖房器には、次のような問題点がある。（イ）先ず、エアコンであるが、暖気は部屋の天井に溜まり、足元が暖まらない。電力消費は１．５−９ｋｗと大きい。広いリビングは兎も角、子供の勉強部屋、老人家庭には足元が冷えて適さないし、電力が不経済である。（ロ）床暖房で足元は暖まるが、暖房費が掛るし、既存住宅で幾室もの改造は高額で出来ない。（ハ）石油ストーブは、暖房能力は強く、経済的であるが、熱は天井に昇り、足元は冷たいし、室内の空気汚染と、火災の危険性がある。（ニ）電気カーペットは、足の裏は暖まるが、膝や腰は寒い。電気ストーブで体は温まるが、足元は冷たい。電力消費は両方とも１人当り４００ｗは必要である。（ホ）電気炬燵は和室には適しているが、洋室の床に置いたのでは部屋のムードに合わない。（ヘ）テーブル式炬燵が最近市場に現れたが、次の問題点がある。        Ａ  熱源がテーブルの裏側であるから、熱は上に溜まり、膝は暖まるが、足元は中々暖まらない。        Ｂ  テーブル下の熱が逃げないように、椅子の前側に板が張られ、シーズン  オーフには、見苦しいし、特に夏期には足元の風通しが悪くなる。        Ｃ  和室用電気炬燵に比べ、テーブル用炬燵は対象空気体積が大きいし、膝や足回りから熱が逃げるから、消費電力も５００ｗ以上になる。        Ｄ  既存テーブルの改造は出来ないので、新たに買わなければならず、既存テーブルの処置に困る。以上の例で判る通り、冬季に椅子に座る高齢者や勉強する子供向けの足腰の暖まる省エネ暖房器はないのである。本発明は、以上の問題点を解決すためのものである。［課題を解決するための手段］【０００４】  本発明は、腰まで包める大型の膝掛けに、高低の温度切替スイッチを附けた足温器をマジックテープで接着させる。つまり、足温器の熱を、大型膝掛けで包み込み、その包みの中に足の先から腰まで入れて暖めようとするものである。  洋室で使う時は、足温器を床に水平に置き、膝掛けを腰に巻いて、マジックテープで止めて椅子に座れば、膝掛けはずり落ちない。  和室で使う時は、座椅子の座布団部分に膝掛けの上端が掛るように膝掛けを横に広げ、足温器の裏側に付いているＵ字型サポーターを引き出し、足温器を傾斜させて立てる。（この時、足温器の傾斜角度は約１２０°である。座椅子に座って、足を投げ出した時、足の裏の角度も約１２０°で、足温器の傾斜角度と略一致する。）足温器ヒーター部に足の裏が接したら、膝掛けのマジックテープを止めれば、パーソナル炬燵が出来上がる。［発明の効果］【０００５】（イ）足温器から腰まで大型の膝掛けで包んでしまうから、熱は外部に逃げず５０ｗ以下の小電力でも足先から腰まで温かくなる。省エネのパーソナンル炬燵である。（ロ）子供の勉強室、高齢者室のような小人数の部屋では足腰の暖まるこのパーソナル炬燵が適し���いると思う。（ハ）ダイニングテーブルでは、本炬燵を洋室用にして足を暖かくして、ＴＶを看ながらゆっくり夕食を楽しめる。（ニ）タ食後、長時間ＴＶを看る時は、リクライニングの前にオットマンか別の椅子を置いて、本炬燵を和室用にして足を水平に膝掛けの中を、オットマンまで伸ばせば、違和感なく洋室で炬燵を楽しむ事が出来る。うたた寝をしても風邪を引く心配はない。（ホ）本炬燵は、特に高価な部品は使用しないから、市販価格も安価である。（ヘ）シーズンオーフにも小さく畳めるから、収納の心配はない。［発明を実施するための最良の形態］【０００６】  以下、本発明の実施の形態について説明する。（イ）足温器：  図１、４  参照    寸法、材質：３５ｃｍＸ３５ｃｍの鉄板製ケース１の中にヒーター部２を入れる。ヒーター部の表面強度は人間が間違って乗っても壊れない事が必要である。底面と側面は断熱性が必要である。表面仕上げは足の当りのため柔らかくし、洗濯用にカバーを付ける。ケースの寸法は、足が疲れないように多少広くする。    裏側：図４のようにＵ字形のサポーター１０を内臓させるための凹んだサポーター収納スペース１１をプレスで造る。サポーター１０を引き出せば足温器を図４のように１２０°傾斜させる事ができる。これは、和室で足を延ばした時に使う。勿論、正座やあぐらをかいても、暖かさは変わらない。    外周：膝掛けを取り付けるためのマジックテープ５を付ける。    消費電力：３０ｗと５０ｗの温度切替器３を附ける。足温器の中の構造は、通常の足温器と同じで、恒温装置と過熱防止用温度ヒューズを内臓させる。（ロ）膝掛け：  図２、３参照    材質：化繊毛布が良いと思う。子供用と、高齢者用でデザインは変える。    寸法：足温器から腰まですっぽりと包むため、丈は約１ｍ、幅は足温器の周囲長と同じ３５Ｘ４＝１４０ｃｍ位が適当と考える。    マジックテープ：膝掛け７の下部のマジックテープ６で、足温器の周辺のマジックテープ５に止める。膝掛け下部のマジックテープの無い部分は、スイッチ付き電源コード４の出口と温度切替器３のためのスペースである。膝掛けを腰に巻いて、マジックテープ８と９で開かないように止める。    図３は肘掛けを（腰に）巻いて、下部をマジックテープで足温器に接着した概念図である。
【図面の簡単な説明】
【０００７】
【図１】本発明の足温器の概念図
【図２】本発明の膝掛けの概念図
【図３】本発明を洋室で使用する場合の、膝掛けを足温器に取り付けた状態の概念図
【図４】本発明を和室で使用する場合の、膝掛けを１２０°傾斜させた足温器に取り付けた状態の概念図
【符号の説明】
【０００８】  １      鉄製ケース  ２      ヒーター部  ３      温度切替器  ４      スイッチ付き電源コード  ５      マジックテープ  ６      マジックテープ  ７      膝掛け  ８      マジックテープ  ９      マジックテープ１０      サポーター１１      サポーター収納スペース
【図１】
2006112772.tif 000003
【図２】
2006112772.tif 000004
【図３】
2006112772.tif 000005
【図４】
2006112772.tif 000006
【手続補正書】
【提出日】平成17年8月26日(2005.8.26)
【手続補正１】
【補正対象書類名】明細書
【補正対象項目名】００６
【補正方法】変更
【補正の内容】
【０００６】  以下、本発明の実施の形態について説明する。
（イ）足温器：  図１，４参照
寸法・材質：３５ｃｍＸ３５ｃｍの鉄製ケース１の中にヒーター部２を入れる。鉄製ケース１は、足が疲れない様に多少広くし、大人が乗っても壊れない強度が必要である。底面と側面は断熱性が必要で、表面仕上げは足当りのため柔らかくし、洗濯用にカバーを付ける。
裏側：図４のようにＵ字型のサポーター１０を、収納させるための凹んだサポーター収納スペース１１をプレスで造る。サポーター１０を引き出せば足温器を図４のように１２０°傾斜させる事が出来る。和室で足を延ばす時に使う。
外周：膝掛け７のマジックテープ６と接着するマジックテープ５を付ける。
消費電力：３０Ｗと５０Ｗの温度切替器３を付ける。足温器の中の構造は、通常の足温器と同じで、恒温装置と過熱防止用温度ヒューズを内臓させる。
（ロ）膝掛け：  図２，３参照
材質：化繊毛布が、安価で洗濯も出来る点で、最適である。
寸法：足温器から腰まですっぽりと包むため、丈は約１ｍ、幅は足温器の周囲長と同じ  ３５Ｘ４＝１４０ｃｍ＋重ね代  位が適当と考える。
マジックテープ：膝掛け下部のマジックテープ６右端は、スイッチ付き電源コード４の出口と温度切替器３のために空けてある。
膝掛け７を腰に巻いて、マジックテープ８と９で開かないように止める。